(57)【要約】【課題】【解決手段】ベースと着脱可能に噛み合うように構成される熱エネルギー貯蔵容器のカバーで、その容器は、食物貯蔵のためのキャビティ、器具を収納するためのチャンバ、及び／又は熱エネルギー貯蔵材料を含むコンパートメントを規定してもよい。【選択図】図１
2011527743.tif 000002
【特許請求の範囲】
【請求項１】
食物、器具、及びフードアクセサリーのうちの少なくとも１つを独立して保持するように構成された容器であって、
食物を受けるように構成された、少なくとも１つのキャビティを規定するベースと、
前記ベースと取外し可能に噛み合うカバーと、を備え、前記カバーには、
少なくとも１つの器具を受けるように構成された少なくとも１つのチャンバを規定する側面及び上面を有し、前記カバーが前記ベースと噛み合うと同時に、前記ベースによって形成される前記少なくとも１つのキャビティに隣接するように位置するコンパートメントを規定するカバー本体と、
前記コンパートメント内に位置し、前記ベースの少なくとも１つの食物を受け入れる前記キャビティに置かれる温及び／又は冷食物に適した熱エネルギー貯蔵材料と、
前記カバー本体の前記上面に沿って位置し、前記カバー本体と組み合わせ、前記少なくとも１つのチャンバを囲むように構成された蓋と、が設けられ、
前記少なくとも１つのチャンバは、前記ベースの本体に収容された食物を加熱及び／又は冷却し、前記ベースの本体内の食物と前記容器の周囲の空気との間の熱エネルギーの移動を減らしながらも、前記器具及び前記フードアクセサリーのうち少なくとも１つを前記容器に加えることができる、容器。
【請求項２】
前記カバー本体には、前記コンパートメントにアクセス可能に構成された前記蓋から向かい側の表面に位置する着脱可能なパネルが含まれている請求項１の容器。
【請求項３】
前記熱エネルギー貯蔵材料が、前記カバーから分離して加熱又は冷却できる取外し可能な挿入物として構成されている請求項１又は２の容器。
【請求項４】
前記蓋は、前記カバー本体の前記側面から概略傾斜した軸を中心に回転する請求項１〜３のいずれか一項の容器。
【請求項５】
前記カバーは概略直線形状の主要面を有し、前記蓋は概略直線形状を有し、前記蓋によって形成される概略直線形状は、前記カバーによって形成される概略直線形状に概略傾斜している請求項１〜４のいずれか一項の容器。
【請求項６】
前記蓋は、前記カバー本体の前記上面と相対的に傾斜するように位置合わせされた請求項１〜５のいずれか一項の容器。
【請求項７】
食物を受けるように構成された、少なくとも１つのキャビティを規定するベースと、
前記ベースと取外し可能に噛み合うカバーと、を備え、前記カバーには、
フードアクセサリー及び／又は食物を受けるように構成された少なくとも１つのチャンバを規定する側面及び上面を有し、前記カバーが前記ベースと噛み合うと同時に、前記少なくとも１つのキャビティに隣接するように位置するコンパートメントを規定する前記カバー本体と、
前記コンパートメント内に位置し、前記ベースの少なくとも１つの食物を受け入れる前記キャビティに置かれる温及び／又は冷食物に適した熱エネルギー貯蔵材料と、
前記カバー本体の前記上面に沿って位置し、前記カバー本体と組み合わせ、前記少なくとも１つのチャンバを囲むように構成された蓋と、が設けられ、
前記蓋は、前記カバー本体の前記側面から概略傾斜した軸を中心に回転する、容器。
【請求項８】
少なくとも１つの器具は、前記少なくとも１つのチャンバに位置する請求項１〜７のいずれか一項の容器。
【請求項９】
前記蓋が閉じているときに、前記蓋の外面は、前記少なくとも１つのチャンバの周囲の前記カバーの前記上面と概略同一平面にある請求項１〜８のいずれか一項の容器。
【請求項１０】
前記カバーは概略直線形状の主要面を有し、前記蓋は概略直線形状を有し、前記蓋によって形成される概略直線形状は、前記カバーによって形成される概略直線形状に概略傾斜している請求項１〜９のいずれか一項の容器。
【請求項１１】
前記蓋は、ヒンジにより前記カバー本体と回動可能に連結されている請求項１〜１０のいずれか一項の容器。
【請求項１２】
前記熱エネルギー貯蔵材料が、ゲルである請求項１〜１１のいずれ一項の容器。
【請求項１３】
前記カバー本体の前記側面に従属し、前記ベースに噛み合うように構成された複線の栓をさらに備えている請求項１〜１２のいずれか一項の容器。
【請求項１４】
前記カバー本体には、前記コンパートメントにアクセス可能に構成された前記蓋から向かい側の表面に位置する着脱可能なパネルが含まれている請求項１〜１３のいずれか一項の容器。
【請求項１５】
前記熱エネルギー貯蔵材料が、前記カバーから分離して加熱又は冷却できる取外し可能な挿入物として構成されている請求項１〜１４のいずれか一項の容器。
【請求項１６】
消耗品を独立して保持するように構成された容器であって、
食物を受けるように構成された、少なくとも１つのキャビティを規定するベース本体と、
前記少なくとも１つのキャビティの開口に最も近い前記ベース本体の端から概略外側へ広がり、前記ベース本体の反対面に概略三日月形状で、その中にそれぞれ切欠きを含んだ複数の三日月部を含んだ縁と、
を備えたベースと、
フードアクセサリー及び／又は食物を受けるように構成された少なくとも１つのチャンバを規定する側面及び上面を有し、その中に位置するコンパートメントを規定するカバー本体と、
前記コンパートメント内に位置し、前記ベースの少なくとも１つの食物を受け入れる前記キャビティに置かれる温及び／又は冷食物に適した熱エネルギー貯蔵材料と、
前記カバー本体の前記上面に沿って位置し、前記カバー本体と組み合わせ、前記少なくとも１つのチャンバを囲むように構成され、前記カバー本体の前記上面と相対的に傾斜するように位置合わせされた蓋と、
前記カバー本体から概略外側へ広がり、前記カバーが前記ベースに固定されるときに、前記ベース本体の前記縁と前記三日月部とを覆うように構成され、かつ前記ベース本体の前記縁を覆うときに、前記ベース本体の各切欠きと噛み合うように構成された複数のつまみをさらに含んでいる覆いと、
を備えた、前記ベースと取外し可能に噛み合うカバーと、
前記少なくとも１つのチャンバに位置する少なくとも１つの器具と、
を備えた容器。
【請求項１７】
前記カバー本体には、前記コンパートメントにアクセス可能に構成された前記蓋から向かい側の表面に位置する着脱可能なパネルが含まれている請求項１〜１６のいずれか一項の容器。
【請求項１８】
前記熱エネルギー貯蔵材料が、前記カバーから分離して加熱又は冷却できる取外し可能な挿入物として構成されている請求項１〜１７のいずれか一項の容器。
【請求項１９】
前記ベース本体は、前記カバーが前記ベースと噛み合うと同時に前記パネルが取り外された場合に、熱エネルギー貯蔵材料が前記コンパートメントから完全に離れることを防ぐように構成された隔壁で食物を受けるための複数のキャビティを規定する請求項１〜１８のいずれか一項の容器。
【発明の詳細な説明】
【技術分野】
【０００１】
本発明は、熱エネルギー貯蔵容器及びカバー、特に、その中に設けられる熱エネルギー貯蔵材料を有する容器及びカバーと、器具及び／又はフードアクセサリーの収納のために独立して利用可能なチャンバを有するカバーとに関する。
【背景技術】
【０００２】
熱エネルギー貯蔵パックは一般的に、加熱又は冷却状態で貯蔵容器の内容物を保持する用途として知られている。例えば、冷凍したサーマルパックは、冷凍可能な熱エネルギー貯蔵材料で予め満たされ、所定期間冷却状態で、食物や飲料等の冷えた内容物の保持のため、クーラー等の断熱容器内に食物と一緒に設置される。そのような熱エネルギー材料は一般的に、凍結水の１０〜１５倍の熱容量を有し、それゆえ、氷単体と比較して長期間、冷えた内容物を冷却状態で保持する。そのような冷却パックは、利用していないときに再凍結することにより何度も再利用でき、また、溶けた液体がクーラー内の物と接触する問題を回避する。保温するエネルギー貯蔵材料もまた、電子レンジ又はその他の手段を通じて予め加熱できるものとして知られている。
【０００３】
これら温冷パックは一般的に、一人用の食事等の少量の食物にとって必ずしも都合がよいものとはいえない所定のサイズで提供される。加えて、後で摂取するために一回分の食事だけを運びたい人にとって、１つ以上の食物貯蔵容器と熱エネルギー貯蔵パックとを食物と一緒にクーラー又はボックスに設置し、器具又はその他のフードアクセサリーを収納することは、著しい不便となる。
【発明の概要】
【発明が解決しようとする課題】
【０００４】
食物の貯蔵のための１つ以上のキャビティを含んだ単独の容器、熱エネルギー貯蔵材料を保持するコンパートメント、及び／又は器具、その他のフードアクセサリー用のチャンバを備えたことは有利であろう。
【課題を解決するための手段】
【０００５】
本発明の一の実施形態は、熱エネルギー貯蔵容器を対象としている。熱エネルギー貯蔵容器は、ベースと、カバーとを備えている。ベースは、少なくとも１つの食物貯蔵キャビティを規定し、ベースにはいかなる２つのキャビティも隔壁で区切られている。カバーは、その側面に沿ってベースと取外し可能に噛み合い、カバー本体と、蓋と、熱エネルギー貯蔵材料とを備えている。カバー本体は、カバーとベースとが噛み合っているときに、ベースによって形成される１つ以上の食物貯蔵キャビティに隣接するように位置するコンパートメントを規定する。熱エネルギー貯蔵材料は、このコンパートメント内に位置し、その温度に依存して、１つ以上の食物貯蔵キャビティの内容物を加熱又は冷却できる。カバーの上面は、少なくとも１つの器具及び／又は他のフードアクセサリーを受けるように構成されたチャンバを規定する。蓋はカバーの上面に位置し、この蓋は、容器を開けることなく、又は熱エネルギー貯蔵材料と食物貯蔵キャビティとの接合部分に干渉することなく器具又はフードアクセサリーにアクセス可能である。
【０００６】
本発明の他の実施形態は、熱エネルギー貯蔵容器を別々に対象としている。熱エネルギー貯蔵容器は、ベースと、カバーとを備えている。ベースは、少なくとも１つの食物貯蔵キャビティを規定し、ベースにはいかなる２つのキャビティも隔壁で区切られている。カバーは、その側面に沿ってベースと取外し可能に噛み合い、カバー本体と、蓋と、熱エネルギー貯蔵材料とを備えている。カバー本体は、カバーとベースとが噛み合っているときに、ベースによって形成される１つ以上の食物貯蔵キャビティに隣接するように位置するコンパートメントを規定する。熱エネルギー貯蔵材料は、このコンパートメント内に位置し、その温度に依存して、１つ以上の食物貯蔵キャビティの内容物を加熱又は冷却できる。カバーの上面は、フードアクセサリー又は食品を受けるように構成されたチャンバを規定する。蓋はカバーの上面に位置し、容器を開けることなく、又は熱エネルギー貯蔵材料と食物貯蔵キャビティとの接合部分に干渉することなくフードアクセサリー又は食品にアクセス可能である。蓋は、蓋が開くことでカバーが熱エネルギー貯蔵容器のベースから取り外される可能性を減少するために、カバー本体の側面から概略傾斜した軸の周りを回転する。
【０００７】
本発明の他の実施形態は、１つ以上の種類の消費できる食品を別々に保持するように構成された熱エネルギー貯蔵容器を別々に対象としている。熱エネルギー貯蔵容器は、ベースと、カバーとを備えている。ベースは、少なくとも１つの食物貯蔵キャビティを規定し、ベースにはいかなる２つのキャビティも隔壁で区切られている。縁は、その上端でベースの端から概略外側へ広がり、ベースの反対面に複数の三日月部を含んでいる。各三日月部は、カバーの取付けを補助するために、その中に切欠きを含んでいる。カバーは、その側面に沿ってベースと取外し可能に噛み合い、カバー本体と、蓋と、熱エネルギー貯蔵材料とを備えている。カバー本体は、その中にコンパートメントを規定する。熱エネルギー貯蔵材料は、このコンパートメント内に位置し、その温度に依存して、１つ以上の食物貯蔵キャビティの内容物を加熱又は冷却できる。覆いはカバー本体から概略外側へ広がり、カバーがベースに固定されるときに、覆いはベースの縁と三日月部とを覆う。覆いに沿って複数のつまみは、ベースの三日月部の切欠きとそれぞれ噛み合うように構成され、ベースにカバーを確実に取り付ける。カバーの上面は、フードアクセサリー又は食品を受けるように構成されたチャンバを規定する。蓋はカバーの上面に位置し、容器を開けることなく、又は熱エネルギー貯蔵材料と食物貯蔵キャビティとの接合部分に干渉することなくフードアクセサリー又は食品にアクセス可能である。蓋は、蓋が開くことでカバーが熱エネルギー貯蔵容器のベースから取り外される可能性を減少するために、カバー本体の側面から概略傾斜した軸の周りを回転する。
【０００８】
以下の本発明の好ましい実施形態の詳細な説明だけでなく上述した説明も、添付の図面と併せて読めば、より明らかであろう。発明の図示のために、現在好ましい実施形態が図面に示される。しかしながら、発明は、示されている正確な配置や手段に限定されないと理解される。図面において：
【図面の簡単な説明】
【０００９】
【図１】本発明の好ましい実施形態に係る熱エネルギー貯蔵容器であって、ベースは食物を受けるように構成された３つのキャビティを規定してもよく、カバーはベースと取外し可能に噛み合い、カバーはカバー本体と、器具及び／又はフードアクセサリーの貯蔵のために結合してチャンバを囲む蓋と、を備えている、熱エネルギー貯蔵容器の斜視図。
【図２】蓋がカバー本体の側面から概略傾斜した軸の周りを好ましくは回転する、器具貯蔵チャンバの蓋とカバー本体の上面とを示す図１の熱エネルギー貯蔵容器の上面図。
【図３】ベースの下面と、カバー本体の側面から伝ってベースと噛み合ってもよい好ましいつまみとを示す図１の熱エネルギー貯蔵容器の底面図。
【図４】ベースと噛み合う２つのつまみを好ましくは含んでいる、カバー本体から概略外側へ広がり、ベースの三日月部を覆う覆いを示す図１の熱エネルギー貯蔵容器の長手方向の正面図。
【図５】カバー本体の側面から伝ってベースと噛み合うつまみを示す図１の熱エネルギー貯蔵容器の短手方向の左側正面図。
【図６】図１の切断線６−６における、着脱可能なパネルがコンパートメントにアクセス可能であり、このコンパートメントに位置する熱エネルギー貯蔵材料が取外し可能な挿入物として構成されてもよい、熱エネルギー貯蔵材料が位置するコンパートメントを規定するカバー本体を示す図１の熱エネルギー貯蔵容器の断面図。
【図７】図１の切断線６−６における、着脱可能なパネルがコンパートメントにアクセス可能であり、このコンパートメントに位置する熱エネルギー貯蔵材料が取外し可能な挿入物として構成されてもよい、熱エネルギー貯蔵材料が位置するコンパートメントを規定するベースを示す図１の熱エネルギー貯蔵容器の他の実施形態の断面図。
【図８】図１の切断線６−６における、着脱可能なパネルがコンパートメントにアクセス可能であり、このコンパートメントに位置する熱エネルギー貯蔵材料が取外し可能な挿入物として構成されてもよい、熱エネルギー貯蔵材料が位置する環状のコンパートメントを規定するカバー本体を示す図１の熱エネルギー貯蔵容器の他の実施形態の断面図。
【図９】２つの器具が位置したチャンバを規定するカバー本体と、カバー本体の上面に沿って位置し、チャンバをさらすためにその開位置へと回転した蓋とを備え、ベースから離れたカバーを示す図１の熱エネルギー貯蔵容器の斜視図。
【発明を実施するための形態】
【００１０】
特定の専門用語は便宜上以下の説明で使用されるだけであり、限定されない。「右」、「左」、「前」、「後」、「下」、「上」の語句は、言及された図面にて方向を指定する。「内側」、「外側」の語句は、それぞれ容器の幾何学的中心に向かう方向、それについて指定された部分から離れる方向を参照する。請求項及び対応する詳述部で用いられている「Ａ、Ｂ及びＣのうち少なくとも１つ」との語句は、「少なくとも１つのＡを有するいかなるグループ、少なくとも１つのＢを有するいかなるグループ、又は少なくとも１つのＣを有するいかなるグループ」を意味し、グループがＡ、Ｂ及びＣのそれぞれのうちの少なくとも１つを有していることを必要とする。さらに、請求項及び対応する詳述部で用いられている「１つ」の語句は、特に別段の定めをした場合を除き、１つ以上の参考品を含むものとして規定される。請求項及び対応する詳述部で用いられている「器具」の語句は、「フォーク、スプーン、ナイフ、食塩、胡椒、ストロー、箸、又は同種のものを含むが、これに限定されるものではなく、食品又は飲料品の消費に（又は、ともに）用いられるいかなる道具又はフードアクセサリー」を意味する。請求項及び対応する詳述部で用いられている「消耗品」の語句は、「食物及び飲料を含むが、これに限定されるものではなく、熱エネルギー貯蔵システムで直接に貯蔵される品と、別個に梱包された品との両方を含む、後での消費又は使用のため貯蔵されるいかなる品」を意味する。上述した専門用語は、上述の特に言及された語句、それについて派生する、同様の意味の語句を含む。
【００１１】
図１〜図９に関して、参照符号が要素を指し示し、本発明によれば熱エネルギー貯蔵容器１０の好ましい実施形態が示される。簡単に述べると、熱エネルギー貯蔵容器１０は、希望する期間、許容温度範囲内で１つ以上の消費できる製品を保持するように構成されたベース１２及びカバー１４を含んでいる。カバー１４は、カバー本体１６と、蓋１８とを有している。カバー本体１６は、少なくとも１つの器具４８又は他のフードアクセサリーを受けるように構成されたチャンバ２０を規定し、蓋１８は、カバー本体１６の上面５４に沿って位置し、カバー本体１６と組み合わせて蓋１８はチャンバ２０を囲んでいることが好ましい。
【００１２】
さらに、図１〜図９に関して、少なくとも１つのベース１２又はカバー１４は、熱エネルギー貯蔵材料６０が位置するコンパートメント２２を規定する。カバー１４がベース１２と噛み合うときに、キャビティ３６に貯蔵された消耗品に熱移動を促進するために、コンパートメント２２は、好ましくはベース１２によって形成されたキャビティ３６に隣接するように位置している。熱エネルギー貯蔵材料６０は、取外し可能な挿入物６２として構成されてもよい。熱エネルギー貯蔵材料６０が取外し可能な挿入物として構成される場合には、熱エネルギー貯蔵材料６０は、ポリマーの袋又は容器内に設けられることが好ましい。しかしながら、本発明の要旨を逸脱しない範囲で、取外し可能な挿入物の外皮を提供するためにいかなる適した材料を用いてもよい。着脱可能なパネルは、取外し可能な挿入物６２の着脱ができるようにコンパートメント２２にアクセス可能としてもよい。取外し可能な挿入物６２は、容器１０から取り外せ、容器１０の残りから切り離して加熱し、又は冷却でき、消耗品が容器１０内にあるときには挿入でき、所定温度で保持できる。あるいは、コンパートメント２２へのアクセスはできなくてもよく、熱エネルギー貯蔵材料６０はコンパートメント２２内に取外し不可に位置していてもよい。このような他の実施形態では、ベース１２又はカバー１４は、キャビティ３６に位置する食物を加熱及び／又は冷却するために、その中に位置する熱エネルギー貯蔵材料が必要な温度に達するように加熱され、又は冷却される。
【００１３】
図１に示すように、本発明は、ベース１２とカバー１４とを備えた熱エネルギー貯蔵システム１０に関連している。ベース１２とカバー１４は、ポリエチレンテレフタレート（ＰＥＴ）、ポリ塩化ビニル（ＰＶＣ）、ポリフタレートカーボネート（ＰＰＣ）のようなポリマー材料で形成されることが好ましい。しかしながら、本発明の要旨を逸脱しない範囲で、ベース１２とカバー１４はいかなる他の適した材料を用いてもよい。カバー１４は、概略直線形状を有していることが好ましい。カバー１４がベース１２と噛み合っているときに、熱エネルギー貯蔵システム１０は、ベース１２の底面からカバー１４の上面までの距離７４が、カバー１４の左側面からカバー１４の右側面までの距離７０より短く、カバー１４の前面からカバー１４の後面までの距離７２よりも短い概略直角プリズム形状となることが好ましい。しかしながら、本発明の要旨を逸脱しない範囲で、いかなる比率、いかなる形状でも用いることができる。例えば、熱エネルギー貯蔵システム１０は、本発明の要旨を逸脱しない範囲で、概略楕円形状、概略円筒形状、又は概略立方形状とすることができる。
【００１４】
図１及び図２に示すように、カバー１２の上面５４は、その閉位置で、カバー本体１６の上面５４と概略同一平面にある蓋１８を含んでいることが好ましい。蓋１８は、概略直線形状とすることができる。蓋１８によって形成される概略直線形状は、カバー１４によって形成される概略直線形状に概略傾斜していることが好ましい。凹部４４は、最初に蓋１８をつかむために凹部４４に指を差し込み、それから軸２６の周りに蓋１８を上向きに回転させるために指を持ち上げることにより蓋１８が開くように、カバー１２に位置してもよい。蓋１８の回転軸は、カバー１４の側面から概略傾斜していることが好ましい。カバー本体１６は、カバー本体１６の側面から伝ってベース１２と噛み合うように構成される複数のつまみ３２を含むことができる。
【００１５】
図３に示すように、ベース１２は、消耗品が別個に貯蔵できるように３つのキャビティ３６に分かれていてもよい。しかしながら、ベース１２は、本発明の要旨を逸脱しない範囲で、１つのキャビティで規定されてもよく、又はいかなる個数のキャビティに分けられていてもよい。ベースが１つより多くのキャビティで規定される場合、食物貯蔵システムの通常の動作のもとで、隔壁３８が各キャビティ３６に消耗品を分ける機能を果たす。縁４０は、３つのキャビティ３６の開口に最も近いベース１２の端から概略外側へ広がり、２つの三日月部５６を含んでいる。各三日月部５６は、切欠き４２を含んでもよい。カバー１４がベース１２と完全に噛み合うときに、カバー本体１６のつまみ３２は切欠き４２に差し込むことができる。
【００１６】
図４及び図５に示すように、カバー本体１６は、カバー本体１６から概略外側に広がる覆い３０を備えていることが好ましい。カバー１４がベース１２と噛み合うときに、覆いは、ベース１２の縁４０と三日月部５６とを覆う。覆い３０は、さらに、カバー１４がベース１２と噛み合うときに、それぞれベース１２で切欠き４２に噛み合うように構成される複数のつまみ３２を含むことができる。ベース１２は、ベース１２の底面から上方に延びる隔壁３８により３つのキャビティ３６に分けられてもよい。
【００１７】
図６に示すように、熱エネルギー貯蔵システム１０が機能しているときに、熱エネルギー貯蔵材料を含む取外し可能な挿入物６２は、カバー本体１６のコンパートメント２２で囲まれる。コンパートメント２２は、ベース１２により形成される少なくとも１つのキャビティ３６に隣接して位置する。着脱可能なパネル２４は、蓋１８から向かい側のカバー１４の表面に位置することが好ましい。カバー１４がベース１２から離れているときに、着脱可能なパネル２４は、コンパートメント２２にアクセス可能にするために取り外せてもよく、熱エネルギー貯蔵材料６２を含む取外し可能な挿入物６２をコンパートメント２２から取り外すことができる。カバー１４がベース１２と噛み合うときに、ベース１２の隔壁３８は、着脱可能なパネル２４の動作を限定してもよく、その結果、熱エネルギー貯蔵材料６２を含む取外し可能な挿入物６０が完全にコンパートメント２２から離れることを防止してもよい。しかしながら、本発明の要旨を逸脱しない範囲で、着脱可能なパネルは、取外し可能な挿入物６２をコンパートメント２２から離れさせるようにどのように位置してもよい。あるいは、カバー本体１６は、コンパートメント２２を完全に囲んでもよいし、熱エネルギー貯蔵材料６０が、コンパートメント２２に取外し不可に位置してもよい。
【００１８】
さらに、図６を参照すると、カバー本体１６は、少なくとも１つの器具４８又はフードアクセサリーを受けるように構成されたチャンバ２０を規定し、蓋１８は、このチャンバ２０を囲んでいる。蓋１８は、ベース１２からカバー１４を離すことなくチャンバ２０にアクセス可能している。カバー本体１６は、カバー本体１６から概略外側に広がる覆い３０を備えていることが好ましい。カバー１４がベース１２と噛み合うときに、覆い３０は、縁４０及びベース１２の三日月部５６を覆うことが好ましく、覆い３０は、ベース１２の三日月部５６の外側縁に広がる複数のつまみ３２をさらに含んでいる。各つまみ３２は、ベース１２の切欠き４２と噛み合うように構成されることが好ましい。
【００１９】
他の実施形態において、図７に示すように、ベース１２は、ベース本体３４と、熱エネルギー貯蔵材料６０とを備えていてもよい。ベース本体３４は、熱エネルギー貯蔵材料６０を含むコンパートメント２２を規定してもよい。熱エネルギー貯蔵材料６０は、取外し可能な挿入物６２内に位置する。ベースは、さらに、コンパートメント２２の底面に位置する着脱可能なパネル２４を備えてもよい。着脱可能なパネル２４は、ベース１２からカバー１４を取り外すことなしに取り外すことができる。熱エネルギー貯蔵材料６０を含む取外し可能な挿入物６２は、ベース本体３４のキャビティ３６に貯蔵される消耗品をさらすことなく交換できる。あるいは、ベース本体１６は、コンパートメント２２を完全に囲んでもよいし、熱エネルギー貯蔵材料６０がコンパートメント２２に取外し不可に位置していてもよい。コンパートメント２２は、ベース本体３４により形成される３つのキャビティ３６のうち一番大きいキャビティに隣接して位置することが好ましく、このキャビティには、所定期間、許容温度範囲内で保持すべき消耗品を含むべきである。他の２つのキャビティには、この温度範囲内で保持する必要のない消耗品を含んでもよい。
【００２０】
他の実施形態において、図８に示すように、カバー本体１６は、熱エネルギー貯蔵材料６０を含む概略環状のコンパートメント２２を規定してもよい。熱エネルギー貯蔵材料６０は、取外し可能な挿入物６２内に位置してもよい。着脱可能なパネル２４は、カバー本体１６の底面の一部を形成してもよい。カバー１４がベース１２から離れているときに、着脱可能なパネル２４は、コンパートメント２２にアクセス可能にするために取り外せてもよく、熱エネルギー貯蔵材料６２を含む取外し可能な挿入物６２をコンパートメント２２から取り外すことができる。あるいは、カバー本体１６は、コンパートメント２２を完全に囲んでもよいし、熱エネルギー貯蔵材料６０は、コンパートメント２２に取外し不可に位置していてもよい。コンパートメント２２は、ベース１２により形成される３つのキャビティ３６に隣接して位置する。
【００２１】
図６〜図８を参照すると、カバー１４の覆い３０は、その縁３４と、ベース１２の反対面に位置する三日月部５６の切欠き４２とでベース１２と噛み合うことが好ましい。つまみ３２は、カバー１４とベース１２との間の結合を固定する位置にはめられる。しかしながら、本発明の要旨を逸脱しない範囲で、発明に従って、いかなる他の適する取付け要素を利用してもよい。
【００２２】
図９を参照すると、カバー１２のチャンバ２０の好ましい位置に２つの器具４８があることが示されている。蓋１８は、カバー本体１６の側面から概略傾斜した軸の周りに回転することが好ましい。蓋１８は、開位置にあることが示され、開いたときに蓋１８が平面形状を維持できるようにするリブ５０が含まれていてもよい。蓋１８は、カバー１２の上面５４と合わさって閉じることができる隆起した周縁５２を含むことができる。蓋の凹部４６は、器具貯蔵チャンバ２０にアクセスするため蓋１８が容易に開かれるようにカバー１２の凹部４４と適合している。器具４８は、ベース１２に含まれるいかなる食物を加熱し、及び／又は冷却しながらも容器１０に加えられることができる。
【００２３】
さらに図９を参照すると、ベース１２は、消耗品を受けるように構成された３つのキャビティ３６を規定することが好ましい。ベース１２の隔壁３８は、各キャビティ３６に消耗品を分ける機能を果たす。縁４０は、少なくとも１つのキャビティの開口に最も近いベースの端から概略外側に広がる。縁４０は、ベース１２の反対面に２つの概略三日月形状の三日月部５６を含んでいてもよい。各三日月部５６は、カバー１４がベース１２と噛み合っているときに、カバー１４のつまみ３２と噛み合う切欠き４２を含んでいてもよい。
【００２４】
図１〜図９を参照すると、本発明の一実施形態は、以下のように作用する。カバー１４を冷凍庫に入れて熱エネルギー貯蔵材料６０を冷やす。それから、食物をベースのキャビティ３６に入れて、カバー１４で固定する。それから、蓋１８を開き、器具４８をカバーの中に入れてもよい。器具貯蔵チャンバ２０に器具が固定されると、容器は、効率よく、容易に消耗品を運ぶことができる。
【００２５】
以上、本発明のさまざまな実施形態のため、さまざまな形状、構造、及び特性が説明され、図に示され、当業者は、この開示により、本発明の要旨を逸脱しない範囲で上述の特性のいかなる組み合わせも利用できることが理解できるだろう。従って、それに関する広い発明思想を逸脱することなく、上述した発明の実施形態を変更可能であることは当業者により認められる。例えば、本発明の要旨を逸脱しない範囲で、容器の形状、容器の相対寸法、消耗品を受けるように構成されたキャビティの個数と位置、及び、現在の、着脱可能なパネル位置は、変更可能でもよい。従って、この発明は、開示された特定の実施形態に限定されないと理解され、請求項に規定され、及び／又は図面に示された、本発明の精神と範囲内での全ての改良を対象とすることを意図している。
【図１】
2011527743.tif 000003
【図２】
2011527743.tif 000004
【図３】
2011527743.tif 000005
【図４】
2011527743.tif 000006
【図５】
2011527743.tif 000007
【図６】
2011527743.tif 000008
【図７】
2011527743.tif 000009
【図８】
2011527743.tif 000010
【図９】
2011527743.tif 000011
【国際調査報告】
2011527743.tif 000012